(57)【要約】【課題】ユーザが操作を行うことなく、適切に視聴制限を行うことが可能な放送受信機を提供する。【解決手段】このＢＤプレーヤ１００（放送受信機）は、放送信号を受信する受信部２２と、放送信号の視聴制限の対象となるユーザが宅内１３０に入ったことを検出する検出部２１と、検出部２１により視聴制限の対象となるユーザが宅内１３０に入ったことが検出されたことに基づいて、検出されたユーザに対応する視聴制限が無効である場合に有効にする制御を行う制御部２１とを備える。【選択図】図２
2014050049.tif 000002
【特許請求の範囲】
【請求項１】
放送信号を受信する受信部と、
前記放送信号の視聴制限の対象となるユーザが所定範囲に入ったことを検出する検出部と、
前記検出部により前記視聴制限の対象となるユーザが前記所定範囲に入ったことが検出されたことに基づいて、検出されたユーザに対応する視聴制限が無効である場合には有効にする制御を行う制御部とを備える、放送受信機。
【請求項２】
前記制御部は、前記視聴制限の対象となるユーザが前記所定範囲に入ったことが検出されたことに基づいて、前記視聴制限が時間毎に設定された視聴制限情報の前記視聴制限が無効に設定されている場合には有効になるように変更する制御を行うように構成されている、請求項１に記載の放送受信機。
【請求項３】
視聴制限の対象となる複数のユーザごとの個別視聴制限を記憶する記憶部をさらに備え、
前記制御部は、前記視聴制限の対象となるユーザが前記所定範囲に入ったことが検出された場合には、前記個別視聴制限が無効に設定されている場合には有効になるように変更するとともに、有効に設定された個別視聴制限のうち視聴制限がより厳しいユーザの個別視聴制限が反映される制御を行うように構成されている、請求項１または２に記載の放送受信機。
【請求項４】
前記制御部は、ユーザにより前記放送信号に基づく番組が視聴されている際に前記視聴制限の対象となるユーザが前記所定範囲に入ったことが検出された場合には、前記検出されたユーザに対応する視聴制限を有効にするとともに、前記番組の録画を開始する制御を行うように構成されている、請求項１〜３のいずれか１項に記載の放送受信機。
【請求項５】
前記制御部は、前記視聴制限の対象となるユーザが前記所定範囲に入ったことが検出された後、前記視聴制限の対象となるユーザが前記所定範囲外に出たことが検出されたことに基づいて、前記検出されたユーザに対応する視聴制限を無効に変更する制御を行うように構成されている、請求項１〜４のいずれか１項に記載の放送受信機。
【請求項６】
前記制御部は、前記視聴制限の対象となるユーザの位置情報または個人識別情報により、前記視聴制限の対象となるユーザが前記所定範囲内に入ったことが検出されたことに基づいて、前記検出されたユーザに対応する視聴制限を有効にする制御を行うように構成されている、請求項１〜５のいずれか１項に記載の放送受信機。
【請求項７】
前記制御部は、前記視聴制限の対象となるユーザの検出機能のオン状態およびオフ状態を切替可能であり、前記検出機能がオン状態である場合に前記視聴制限の対象となるユーザが前記所定範囲内に入ったことが検出されたことに基づいて、前記検出されたユーザに対応する視聴制限を有効にする制御を行うように構成されている、請求項１〜６のいずれか１項に記載の放送受信機。
【請求項８】
前記視聴制限情報は、前記視聴制限の対象となるユーザの年齢と対応付けて記憶されており、
前記制御部は、前記視聴制限の対象となるユーザの年齢が増加した場合には、増加した年齢に対応するように前記視聴制限情報を更新する制御を行うように構成されている、請求項２に記載の放送受信機。
【発明の詳細な説明】
【技術分野】
【０００１】
この発明は、放送受信機に関し、特に、視聴制限機能を有する放送受信機に関する。
【背景技術】
【０００２】
従来、視聴制限機能を有する放送受信機が知られている（たとえば、特許文献１参照）。
【０００３】
上記特許文献１には、放送信号を受信するチューナ（受信部）と、予め設定された設定テーブルに基づいて視聴制限のレーティングレベル（視聴制限の程度）を切り替える制御を行う制御部とを備えた放送受信機が知られている。この放送受信機の制御部は、設定テーブルに設定された時間帯に応じてレーティングレベルを切り替えるように構成されている。
【先行技術文献】
【特許文献】
【０００４】
【特許文献１】特許第４１７５３９６号公報
【発明の概要】
【発明が解決しようとする課題】
【０００５】
しかしながら、上記特許文献１に記載の放送受信機では、設定テーブルに設定された所定の時間帯に応じてレーティングレベル（視聴制限の程度）が一律に切り替えられるので、視聴制限の対象となるユーザが視聴可能な範囲にいるにもかかわらず、設定テーブルに基づいて、その視聴制限の対象となるユーザに対応していない（非対応の）レーティングレベルに設定されてしまう場合があると考えられる。この場合には、保護者などが操作を行って適切な視聴制限になるように手動でレーティングレベルを変更する必要がある。
【０００６】
この発明は、上記のような課題を解決するためになされたものであり、この発明の１つの目的は、ユーザが操作を行うことなく、適切に視聴制限を行うことが可能な放送受信機を提供することである。
【課題を解決するための手段】
【０００７】
この発明の一の局面による放送受信機は、放送信号を受信する受信部と、放送信号の視聴制限の対象となるユーザが所定範囲に入ったことを検出する検出部と、検出部により視聴制限の対象となるユーザが所定範囲に入ったことが検出されたことに基づいて、検出されたユーザに対応する視聴制限が無効である場合には有効にする制御を行う制御部とを備える。
【０００８】
この発明の一の局面による放送受信機では、上記のように、検出部により放送信号の視聴制限の対象となるユーザが所定範囲に入ったことが検出されたことに基づいて、検出されたユーザに対応する視聴制限が無効である場合には有効にする制御を行う制御部を設けることによって、放送信号の視聴制限の対象となるユーザが所定範囲に入った場合には、検出されたユーザに対応する視聴制限が自動的に有効にされるので、ユーザが操作を行うことなく、適切に視聴制限を行うことができる。
【０００９】
上記一の局面による放送受信機において、好ましくは、制御部は、視聴制限の対象となるユーザが所定範囲に入ったことが検出されたことに基づいて、視聴制限が時間毎に設定された視聴制限情報の視聴制限が無効に設定されている場合には有効になるように変更する制御を行うように構成されている。このように構成すれば、視聴制限情報を用いる場合において、視聴制限が無効に設定されている時間帯でも、視聴制限の対象となるユーザが所定範囲内に入った場合には、検出されたユーザに対応する視聴制限が自動的に有効にされるので、視聴制限情報を用いる場合においても、容易に、ユーザが操作を行うことなく、適切に視聴制限を行うことができる。
【００１０】
上記一の局面による放送受信機において、好ましくは、視聴制限の対象となる複数のユーザごとの個別視聴制限を記憶する記憶部をさらに備え、制御部は、視聴制限の対象となるユーザが所定範囲に入ったことが検出された場合には、個別視聴制限が無効に設定されている場合には有効になるように変更するとともに、有効に設定された個別視聴制限のうち視聴制限がより厳しいユーザの個別視聴制限が反映される制御を行うように構成されている。このように構成すれば、視聴制限の対象となるユーザが複数いる場合には、視聴制限がより厳しいユーザ（年齢が低いユーザ）の個別視聴制限が優先的に反映されるので、ユーザが操作を行うことなく、視聴制限がより厳しいユーザに対して適切に視聴制限を行うことができる。
【００１１】
上記一の局面による放送受信機において、好ましくは、制御部は、ユーザにより放送信号に基づく番組が視聴されている際に視聴制限の対象となるユーザが所定範囲に入ったことが検出された場合には、検出されたユーザに対応する視聴制限を有効にするとともに、番組の録画を開始する制御を行うように構成されている。このように構成すれば、視聴制限の対象となるユーザが所定範囲に入ったことにより、視聴制限が有効にされて番組の視聴が中断された場合には、中断された番組が録画されるので、視聴制限の対象となるユーザに対しては、適切に視聴制限を行いながら、視聴制限の対象ではないユーザに対しては、視聴が中断された番組を後で視聴させることができる。
【００１２】
上記一の局面による放送受信機において、好ましくは、制御部は、視聴制限の対象となるユーザが所定範囲に入ったことが検出された後、視聴制限の対象となるユーザが所定範囲外に出たことが検出されたことに基づいて、検出されたユーザに対応する視聴制限を無効に変更する制御を行うように構成されている。このように構成すれば、視聴制限の対象となるユーザが所定範囲に入ることにより視聴制限が有効に設定された場合でも、視聴制限の対象となるユーザが所定範囲外に出て視聴制限が必要なくなった場合には、視聴制限が自動的に無効にされるので、ユーザが操作を行うことなく、視聴制限の対象でないユーザに不要な視聴制限を行うことを抑制することができる。
【００１３】
上記一の局面による放送受信機において、好ましくは、制御部は、視聴制限の対象となるユーザの位置情報または個人識別情報により、視聴制限の対象となるユーザが所定範囲内に入ったことが検出されたことに基づいて、検出されたユーザに対応する視聴制限を有効にする制御を行うように構成されている。このように構成すれば、視聴制限の対象となるユーザの位置情報または個人識別情報により放送信号の視聴制限の対象となるユーザが所定範囲内に入ったことを容易に検出することができるので、容易に、検出されたユーザに対応する視聴制限を自動的に有効にすることができる。
【００１４】
上記一の局面による放送受信機において、好ましくは、制御部は、視聴制限の対象となるユーザの検出機能のオン状態およびオフ状態を切替可能であり、検出機能がオン状態である場合に視聴制限の対象となるユーザが所定範囲内に入ったことが検出されたことに基づいて、検出されたユーザに対応する視聴制限を有効にする制御を行うように構成されている。このように構成すれば、ユーザの検出機能のオン状態およびオフ状態を切り替えることにより、視聴制限を自動的に有効にするか否かをユーザが任意に設定することができる。
【００１５】
上記視聴制限情報の視聴制限が有効になるように変更される構成において、好ましくは、視聴制限情報は、視聴制限の対象となるユーザの年齢と対応付けて記憶されており、制御部は、視聴制限の対象となるユーザの年齢が増加した場合には、増加した年齢に対応するように視聴制限情報を更新する制御を行うように構成されている。このように構成すれば、視聴制限の対象となるユーザの年齢に適した視聴制限に自動的に設定されるので、視聴制限の対象となるユーザの年齢が増加した場合にも視聴制限を更新する手間を省くことができる。
【発明の効果】
【００１６】
本発明によれば、上記のように、ユーザが操作を行うことなく、適切に視聴制限を行うことができる。
【図面の簡単な説明】
【００１７】
【図１】本発明の第１実施形態によるＢＤプレーヤの使用状態を示した概念図である。
【図２】本発明の第１実施形態によるＢＤプレーヤの構成を示したブロック図である。
【図３】本発明の第１実施形態によるＢＤプレーヤのレーティング対応表を示した図である。
【図４】本発明の第１実施形態によるＢＤプレーヤの視聴制限表を示した図である。
【図５】本発明の第１実施形態によるＢＤプレーヤの視聴制限が有効にされた状態を示した図である。
【図６】本発明の第１実施形態によるＢＤプレーヤの有効設定値の自動変更処理を説明するためのフローチャートである。
【図７】本発明の第２実施形態によるＢＤプレーヤの視聴制限表を示した図である。
【発明を実施するための形態】
【００１８】
以下、本発明の実施形態を図面に基づいて説明する。
【００１９】
（第１実施形態）
まず、図１〜図５を参照して、本発明の第１実施形態によるＢＤ（ブルーレイディスク）プレーヤ１００の構成について説明する。なお、ＢＤプレーヤ１００は、本発明の「放送受信機」の一例である。
【００２０】
本発明の第１実施形態によるＢＤプレーヤ１００は、図１に示すように、後述する無線ＬＡＮ（Ｌｏｃａｌ Ａｒｅａ Ｎｅｔｗｏｒｋ）端子２６に接続される無線ＬＡＮアダプタ（図示せず）により、無線ＬＡＮアクセスポイント２００ａと無線接続可能に構成されている。また、無線ＬＡＮアクセスポイント２００ａは、モデム２００ｂを介して、インターネット２００ｃに接続されている。これにより、ＢＤプレーヤ１００は、電話会社のサーバ３００と双方向の無線通信を行うことが可能である。また、第１ユーザの携帯電話４００ａおよび第２ユーザの携帯電話４００ｂの位置情報は、ＧＰＳ（Ｇｌｏｂａｌ  Ｐｏｓｉｔｉｏｎｉｎｇ  Ｓｙｓｔｅｍ）を用いて電話会社のサーバ３００により取得可能に構成されている。また、ＢＤプレーヤ１００は、インターネット２００ｃを介して、電話会社のサーバ３００により取得した第１ユーザの携帯電話４００ａおよび第２ユーザの携帯電話４００ｂの位置情報を取得可能に構成されている。
【００２１】
ＢＤプレーヤ１００は、図２に示すように、装置本体１０の制御回路部２０が、アンテナ４０およびディスプレイ装置５０にそれぞれアンテナケーブル６０および映像・音声ケーブル７０を介して接続されるように構成されている。これにより、放送局から受信されたテレビ番組を視聴および録画することが可能なように構成されている。また、ＢＤプレーヤ１００には、ＢＤプレーヤ１００を遠隔操作するためのリモコン送信機８０が設けられている。
【００２２】
制御回路部２０には、図２に示すように、ＢＤプレーヤ１００の制御を行う制御部２１が設けられている。制御部２１については、後ほど詳細に説明する。また、制御回路部２０には、アンテナ４０によって受信された放送波から所望の放送局の信号波を選局して受信する受信部２２が設けられている。また、受信部２２で受信された信号波から放送信号としての映像・音声信号およびサービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離するデマルチプレクサ（ＤＥＭＵＸ）２３と、デマルチプレクサ２３によって分離された映像・音声信号をデコード（復号）するデコーダ２４と、メモリ部２５とを備えている。なお、メモリ部２５は、本発明の「記憶部」の一例である。
【００２３】
また、制御回路部２０は、図２に示すように、無線ＬＡＮアダプタ（図示せず）が接続される無線ＬＡＮ端子２６と、リモコン送信機８０からのリモコン信号を受光するリモコン受光部２７と、映像・音声データを録画するＨＤＤ部（ハードディスクドライブ部）２８と、制御部２１から出力指示された文字情報や色情報に基づく映像データを、ディスプレイ装置５０により出力される受信映像データに組み込む処理を行うＯＳＤ部（オンスクリーンディスプレイ部）２９と、映像出力端子および音声出力端子から構成されディスプレイ装置５０への接続端子となるＡＶ出力端子３０とをさらに備えている。ＨＤＤ部２８は、受信部２２によって受信された放送信号に基づく番組を録画可能なように構成されている。
【００２４】
また、受信部２２（図２参照）は、映像および音声データを含む高周波デジタル変調信号のうちから任意に選択された周波数のデジタル変調信号を取り出すように構成され、選択されたデジタル変調信号を復調して出力する機能を有するように構成されている。また、受信部２２は、放送波により放送信号およびユーザの年齢に応じて視聴制限を課すレーティング（図３参照）の情報を受信可能に構成されている。
【００２５】
また、デマルチプレクサ２３（図２参照）は、受信部２２から出力された信号を、映像信号、音声信号およびレーティングの情報を含むサービス情報に分離するとともに、分離された映像信号および音声信号をデコーダ２４に供給する一方、レーティングの情報を含むサービス情報をバス３１を介して制御部２１に供給する機能を有するように構成されている。
【００２６】
また、デコーダ２４（図２参照）は、映像信号および音声信号のそれぞれに対してデコード処理（符号の復号化）を行い、映像データおよび音声データを生成する機能を有するように構成されている。なお、映像データおよび音声データはそれぞれＤ／Ａ変換処理（デジタル／アナログ変換）がなされた上で、ＡＶ出力端子３０から装置本体１０外部に接続されたディスプレイ装置５０に出力されるように構成されている。
【００２７】
ここで、第１実施形態では、メモリ部２５（図２参照）には、放送波に含まれるレーティングの情報とレーティング設定値とがレーティング対応表１１０（図３参照）として関連付けられて記憶されている。たとえば、レーティング設定値１０歳（レーティング２）は、１０歳未満のユーザが対象の番組であることを示している。すなわち、レーティング設定値が１０歳に設定されている場合には、レーティング２の情報を含む放送波の放送信号のみが視聴可能である。また、レーティング設定値１０歳（レーティング２）、レーティング設定値１２歳（レーティング３）、レーティング設定値１６歳（レーティング４）、レーティング設定値１８歳（レーティング５）の順で視聴制限が緩くなる。すなわち、レーティング設定値１０歳（レーティング２）が、視聴制限が最も厳しく、レーティング設定値１８歳（レーティング５）が、視聴制限が緩い。また、レーティング設定値がＯｆｆ（オフ）（レーティング１）の場合は、視聴制限が無効である状態である。
【００２８】
また、メモリ部２５には、視聴制限の対象となる複数のユーザごとの個別視聴制限が記憶されるように構成されている。具体的には、図４に示す例では、メモリ部２５には、所定の時間帯ごとに第１ユーザおよび第２ユーザそれぞれの個別視聴制限１２１および１２２が有効または無効に設定された視聴制限表１２０が記憶されている。この視聴制限表１２０における設定は、視聴制限の対象となるユーザの保護者などにより設定されることが可能である。視聴制限表１２０において、個別視聴制限が「Ｏｎ（オン）」の場合は、個別視聴制限が有効であり、個別視聴制限が「Ｏｆｆ（オフ）」の場合は、個別視聴制限が無効である。なお、図４に示す例においては、第１ユーザに対しては、レーティング設定値１０歳が設定（レーティング２の情報を含む放送波の番組のみが視聴可能に）されており、第２ユーザに対しては、レーティング設定値１８歳が設定（レーティング２〜５の情報を含む放送波の番組のみが視聴可能に）されている。また、制御部２１は、放送波に含まれるレーティングに対応するレーティング設定値（図３参照）と、有効設定値とを比較して、そのレーティングを含む番組をユーザに視聴させるか否かを判断するように構成されている。なお、個別視聴制限は、本発明の「視聴制限」の一例である。また、視聴制限表１２０は、本発明の「視聴制限情報」の一例である。
【００２９】
また、メモリ部２５（図２参照）には、ユーザの所有する携帯電話とそのユーザに設定されたレーティング設定値とが対応付けられて記憶されている。たとえば、図４に示す例では、第１ユーザの携帯電話４００ａと第１ユーザに設定されたレーティング設定値１０歳とが、対応付けられてメモリ部２５に記憶されている。
【００３０】
また、メモリ部２５には、図４に示すように、視聴制限表１２０が視聴制限の対象となるユーザの年齢と対応付けて記憶されるように構成されている。たとえば、メモリ部２５には、第１ユーザのレーティング設定値としての１０歳が記憶される際に、第１ユーザの生年月日も記憶されるように構成されている。また、制御部２１は、視聴制限の対象となるユーザの年齢が増加した場合には、増加した年齢に対応するように視聴制限表１２０を更新する制御を行うように構成されている。たとえば、制御部２１は、図４に示す例では、メモリ部２５に記憶された第１ユーザの生年月日に基づいて、第１ユーザの年齢が第１ユーザのレーティング設定値としての１０歳が記憶された時から２歳増加したと判断した場合には、第１ユーザのレーティング設定値を１０歳から１２歳に変更する制御を行うように構成されている。
【００３１】
また、第１実施形態では、制御部２１（図２参照）は、放送信号の視聴制限の対象となるユーザが所定範囲（たとえば、宅内１３０）に入ったことを検出するように構成されている。また、制御部２１は、視聴制限の対象となるユーザが所定範囲内に入ったことが検出されたことに基づいて、検出されたユーザに対応する個別視聴制限が無効である場合には有効にする制御を行うように構成されている。また、制御部２１は、視聴制限の対象となるユーザが所定範囲に入ったことが検出されたことに基づいて、視聴制限が時間毎に設定された視聴制限表１２０の個別視聴制限が無効に設定されている場合には有効になるように変更する制御を行うように構成されている。たとえば、０時〜４時の時間帯に第１ユーザが所定範囲に入ったことが検出された場合には、視聴制限表１２０の第１ユーザに対応する個別視聴制限１２１のうち０時〜４時の時間帯における個別視聴制限が有効にされる。なお、制御部２１は、本発明の「検出部」の一例である。また、宅内１３０は、本発明の「所定範囲内」の一例である。
【００３２】
また、第１実施形態では、制御部２１は、視聴制限の対象となるユーザが所定範囲（たとえば、宅内１３０）に入ったことが検出された後、視聴制限の対象となるユーザが所定範囲外に出たことが検出されたことに基づいて、視聴制限表１２０のうちの検出されたユーザに対応する個別視聴制限を有効から無効に変更する制御を行うように構成されている。たとえば、図４に示す例では、１１時〜１４時の時間帯に第１ユーザが所定範囲に入ったことが検出された後、所定範囲外に出たことが検出された場合には、視聴制限表１２０の第１ユーザに対応する個別視聴制限１２１のうち１１時〜１４時の時間帯における個別視聴制限が有効から無効に変更される。
【００３３】
また、第１実施形態では、制御部２１は、視聴制限の対象となるユーザの位置情報により、視聴制限の対象となるユーザが所定範囲内に入ったことが検出されたことに基づいて、検出されたユーザに対応する視聴制限を有効にする制御を行うように構成されている。また、制御部２１は、視聴制限の対象となるＧＰＳ機能のＯｎ状態およびＯｆｆ状態を切替可能であり、検出機能がＯｎ状態である場合に視聴制限の対象となるユーザが所定範囲内に入ったことが検出されたことに基づいて、検出されたユーザに対応する視聴制限を有効にする制御を行うように構成されている。また、制御部２１は、無線ＬＡＮ端子２６に接続された無線ＬＡＮアダプタ（図示せず）が、視聴制限表１２０における時間帯が次の時間帯（たとえば、０時〜４時の時間帯から４時〜８時の時間帯）に遷移した際に電話会社のサーバ３００にアクセスすることにより、視聴制限の対象となるユーザの位置（携帯電話の位置）を取得する制御を行うように構成されている。なお、ＧＰＳ機能は、本発明の「ユーザの検出機能」の一例である。
【００３４】
また、第１実施形態では、制御部２１は、視聴制限の対象となる複数のユーザの個別視聴制限が有効である場合に、視聴制限の対象となる複数のユーザのうち一部のユーザが所定範囲外（たとえば、宅内１３０）に出たことが検出された際には、所定範囲内にいる視聴制限の対象となるユーザの個別視聴制限が反映される制御を行うように構成されている。
【００３５】
また、第１実施形態では、制御部２１は、視聴制限の対象となるユーザが所定範囲（たとえば、宅内１３０）に入ったことが検出された場合には、個別視聴制限が無効に設定されている場合には有効になるように変更するとともに、有効に設定された個別視聴制限のうち視聴制限がより厳しいユーザの個別視聴制限が反映される制御を行うように構成されている。たとえば、図４に示す例では、２０時〜２４時の時間帯に第１ユーザが所定範囲に入ったことが検出された場合には、無効に設定されている個別視聴制限１２１が有効になるように変更される。そして、２０時〜２４時の時間帯における第１ユーザの個別視聴制限１２１および第２ユーザの個別視聴制限１２２のうちより厳しい第１ユーザの個別視聴制限が有効設定値として反映される。すなわち、２０時〜２４時の時間帯における有効設定値は１８歳から１０歳に変更され、１０歳未満のユーザが対象の番組（レーティング２）（図３参照）のみが視聴可能である。
【００３６】
また、第１実施形態では、制御部２１は、ユーザにより番組が視聴されている際に視聴制限の対象となるユーザが所定範囲に入ったことが検出された場合には、検出されたユーザに対応する個別視聴制限を有効にするとともに、番組の録画を開始する制御を行うように構成されている。具体的には、個別視聴制限が有効にされることにより、番組の視聴が制限（中断）された時点から番組の録画が開始される。なお、視聴制限の対象となるユーザが後から番組の視聴が制限された番組を視聴することを防止するために、番組を録画する際に録画データにパスワードを設定してもよい。
【００３７】
また、第１実施形態では、制御部２１は、視聴制限が有効にされており番組が視聴できない場合には、番組が視聴できないようにするためにＯＳＤ部２９によるＯＳＤ機能によってディスプレイ装置５０の表示部５１に黒画面５２（図５の斜線部）を表示する制御を行うように構成されている。また、制御部２１は、番組が視聴できない状態を解除する解除番号としての４桁のＰＩＮ（Ｐｅｒｓｏｎａｌ Ｉｄｅｎｔｉｆｉｃａｔｉｏｎ Ｎｕｍｂｅｒ）  ｃｏｄｅの入力を要求する表示５３を黒画面５２上に表示する制御を行うように構成されている。なお、ＰＩＮ  ｃｏｄｅは、予め視聴制限の対象となるユーザの保護者などが任意に設定することが可能である。
【００３８】
次に、図４および図６を参照して、第１実施形態によるＢＤプレーヤ１００の制御部２１により実行される有効設定値の自動変更処理フローについて説明する。
【００３９】
ステップＳ１において、ＧＰＳ機能がＯｎのユーザが少なくとも１人いるか否かが判断される。ＧＰＳ機能がＯｎのユーザが少なくとも１人いる場合には、ステップＳ２に進む。一方、ＧＰＳ機能がＯｎのユーザがいないと判断された場合には、有効設定値の自動変更処理が終了される。
【００４０】
ステップＳ２において、ＧＰＳによるユーザの位置情報が取得される。次に、ステップＳ３において、ＧＰＳによるユーザの位置情報が取得されたか否かが判断される。ＧＰＳによるユーザの位置情報が取得された場合には、ステップＳ４に進む。一方、ＧＰＳによるユーザの位置情報が取得されない場合には、ステップＳ２に進む。
【００４１】
次に、ステップＳ４において、ユーザが所定範囲内（たとえば、宅内１３０）にいるか否かが判断される。ユーザが所定範囲内にいる場合には、ステップＳ５に進み、対応する時間帯の個別視聴制限が有効に変更される。一方、ユーザが所定範囲内にいない場合には、ステップＳ６に進み、対応する時間帯の個別視聴制限が無効に変更される。
【００４２】
次に、ステップＳ７において、ＧＰＳ機能がＯｎの全ユーザの位置情報が取得されたか否かが判断される。ＧＰＳ機能がＯｎの全ユーザの位置情報が取得されていない場合には、ステップＳ２に進む。一方、ＧＰＳ機能がＯｎの全ユーザの位置情報が取得された場合には、ステップＳ８に進む。次に、ステップＳ８において、個別視聴制限が有効のユーザが複数いるか否かが判断される。個別視聴制限が有効のユーザが複数いる場合には、ステップＳ９に進む。一方、個別視聴制限が有効のユーザが複数いない（１人または０人）場合には、ステップＳ１０に進む。
【００４３】
ステップＳ９において、個別視聴制限が有効のユーザのうちの一番厳しいレーティング設定値が有効設定値（図４参照）として反映される。その後、有効設定値の自動変更処理が終了される。
【００４４】
ステップＳ１０において、個別視聴制限が有効のユーザが１人の場合には、個別視聴制限が有効のユーザのレーティング設定値が有効設定値として反映され、個別視聴制限が有効のユーザがいない場合には、有効設定値がＯｆｆにされる。その後、有効設定値の自動変更処理が終了される。
【００４５】
第１実施形態では、上記のように、放送信号の視聴制限の対象となるユーザが宅内１３０に入ったことが検出されたことに基づいて、検出されたユーザに対応する視聴制限が無効である場合には有効にする制御を行う制御部２１を設ける。これにより、放送信号の視聴制限の対象となるユーザが宅内１３０に入った場合には、検出されたユーザに対応する視聴制限が自動的に有効にされるので、ユーザが操作を行うことなく、適切に視聴制限を行うことができる。
【００４６】
第１実施形態では、上記のように、視聴制限の対象となるユーザが宅内１３０に入ったことが検出されたことに基づいて、視聴制限が時間毎に設定された視聴制限表１２０の視聴制限が無効に設定されている場合には有効になるように変更する制御を行うように制御部２１を構成する。これにより、視聴制限表１２０を用いる場合において、視聴制限が無効に設定されている時間帯でも、視聴制限の対象となるユーザが宅内１３０に入った場合には、検出されたユーザに対応する視聴制限が自動的に有効にされるので、視聴制限表１２０を用いる場合においても、容易に、ユーザが操作を行うことなく、適切に視聴制限を行うことができる。
【００４７】
第１実施形態では、上記のように、視聴制限の対象となる第１ユーザの個別視聴制限１２１および第２ユーザの個別視聴制限１２２を記憶するメモリ部２５をさらに設け、視聴制限の対象となる第１ユーザまたは第２ユーザが宅内１３０に入ったことが検出された場合には、個別視聴制限が無効に設定されている場合には有効になるように変更するとともに、有効に設定された個別視聴制限のうち視聴制限がより厳しい第１ユーザの個別視聴制限１２１が反映される制御を行うように制御部２１を構成する。これにより、視聴制限がより厳しい第１ユーザ（年齢が低いユーザ）の個別視聴制限１２１が優先的に反映されるので、視聴制限がより厳しい第１ユーザに対して適切に視聴制限を行うことができる。
【００４８】
第１実施形態では、上記のように、ユーザにより番組が視聴されている際に視聴制限の対象となるユーザが宅内１３０に入ったことが検出された場合には、検出されたユーザに対応する視聴制限を有効にするとともに、番組の録画を開始する制御を行うように制御部２１を構成する。これにより、視聴制限の対象となるユーザが宅内１３０に入ったことにより、視聴制限が有効にされて番組の視聴が中断された場合には、中断された番組が録画されるので、視聴制限の対象となるユーザに対しては、適切に視聴制限を行いながら、視聴制限の対象ではないユーザに対しては、視聴が中断された番組を後で視聴させることができる。
【００４９】
第１実施形態では、上記のように、視聴制限の対象となるユーザが宅内１３０に入ったことが検出された後、視聴制限の対象となるユーザが宅内１３０の外に出たことが検出されたことに基づいて、検出されたユーザに対応する視聴制限を無効に変更する制御を行うように制御部２１を構成する。これにより、視聴制限の対象となるユーザが宅内１３０に入ることにより視聴制限が有効に設定された場合でも、視聴制限の対象となるユーザが宅内１３０の外に出て視聴制限が必要なくなった場合には、視聴制限が自動的に無効にされるので、視聴制限の対象でないユーザに不要な視聴制限を行うことを抑制することができる。
【００５０】
第１実施形態では、上記のように、視聴制限の対象となるユーザの位置情報により、視聴制限の対象となるユーザが宅内１３０に入ったことが検出されたことに基づいて、検出されたユーザに対応する視聴制限を有効にする制御を行うように制御部２１を構成する。これにより、視聴制限の対象となるユーザの位置情報により放送信号の視聴制限の対象となるユーザが宅内１３０に入ったことを容易に検出することができるので、容易に、検出されたユーザに対応する視聴制限を自動的に有効にすることができる。
【００５１】
第１実施形態では、上記のように、視聴制限の対象となるＧＰＳ機能のオン状態およびオフ状態を切替可能であり、ＧＰＳ機能がオン状態である場合に視聴制限の対象となるユーザが宅内１３０に入ったことが検出されたことに基づいて、検出されたユーザに対応する視聴制限を有効にする制御を行うように制御部２１を構成する。これにより、ＧＰＳ機能のオン状態およびオフ状態を切り替えることにより、視聴制限を自動的に有効にするか否かをユーザが任意に設定することができる。
【００５２】
第１実施形態では、上記のように、視聴制限の対象となるユーザの年齢と対応付けて視聴制限表１２０を記憶するとともに、視聴制限の対象となるユーザの年齢が増加した場合には、増加した年齢に対応するように視聴制限表１２０を更新する制御を行うように制御部２１を構成する。これにより、視聴制限の対象となるユーザの年齢に適した視聴制限に自動的に設定されるので、ユーザの年齢が増加した場合にも視聴制限を更新する手間を省くことができる。
【００５３】
（第２実施形態）
以下、図２および図７を参照して、本発明の第２実施形態によるＢＤプレーヤ５００の構成について説明する。なお、ＢＤプレーヤ５００は、本発明の「放送受信機」の一例である。
【００５４】
この第２実施形態では、所定の時間帯ごとにユーザの個別視聴制限が設定された視聴制限表１２０に基づいて有効設定値が設定される第１実施形態と異なり、ユーザの個別視聴制限が時間帯にかかわらずユーザごとに一律に設定された視聴制限表５１０（図７参照）に基づいて有効設定値が設定されるＢＤプレーヤ５００について説明する。なお、視聴制限表５１０は、本発明の「視聴制限情報」の一例である。
【００５５】
第２実施形態によるＢＤプレーヤ５００の制御部５２１（図２参照）は、視聴制限の対象となるユーザが所定範囲（たとえば、宅内１３０）に入ったことが検出されたことに基づいて、視聴制限表５１０の個別視聴制限が有効になるように変更する制御を行うように構成されている。
【００５６】
また、制御部５２１は、無線ＬＡＮ端子２６（図２参照）に接続された無線ＬＡＮアダプタ（図示せず）が、保護者などのユーザにより設定された所定のタイミング（たとえば、３時間おき）で電話会社のサーバ３００にアクセスすることにより視聴制限の対象となるユーザの位置（携帯電話の位置）を取得する制御を行うように構成されている。また、視聴制限の対象となるユーザが宅内に出入りする可能性が高い時間帯（たとえば、夕方）にサーバ３００にアクセスする頻度を高くしてもよい。また、視聴制限の対象となるユーザの位置情報を取得した履歴を蓄積しておき、視聴制限の対象となるユーザが宅内に出入りする可能性が高いタイミングにサーバ３００にアクセスする頻度を高くしてもよい。これらにより、視聴制限の対象となるユーザを精度よく検出することができるので、検出されたユーザに対応する個別視聴制限を精度よく自動的に有効にすることができる。
【００５７】
なお、第２実施形態のその他の構成は、上記第１実施形態と同様である。
【００５８】
第２実施形態では、上記のように、放送信号の視聴制限の対象となるユーザが宅内１３０に入ったことが検出されたことに基づいて、検出されたユーザに対応する個別視聴制限を有効にする制御を行う制御部５２１を設ける。これにより、放送信号の視聴制限の対象となるユーザが宅内１３０に入った場合には、検出されたユーザに対応する個別視聴制限が自動的に有効にされるので、ユーザが操作を行うことなく、適切に視聴制限を行うことができる。
【００５９】
なお、第２実施形態のその他の効果は、上記第１実施形態と同様である。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１および第２実施形態では、本発明を放送受信機としてのＢＤプレーヤに適用する例を示したが、本発明はこれに限られない。本発明は、たとえば、テレビジョン装置やＳＴＢ（セットトップボックス）など、他の放送受信機にも適用可能である。
【００６２】
また、上記第１および第２実施形態では、ユーザが宅内１３０（所定範囲内）に入ったことが検出されたことに基づいて、個別視聴制限（視聴制限）を有効にする例を示したが、本発明はこれに限られない。本発明では、所定範囲として、たとえば、放送受信機から１０ｍ以内に入ったことが検出されたことなどに基づいて、視聴制限を有効にしてもよい。
【００６３】
また、上記第１および第２実施形態では、視聴制限の対象になるユーザとして２人の第１ユーザおよび第２ユーザが宅内１３０（所定範囲）に入ったか否かを検出して、個別視聴制限１２１および１２２（視聴制限）を有効にする例を示したが、本発明はこれに限られない。本発明では、１人、または、３人以上のユーザが所定範囲に入ったか否かを検出して、視聴制限を有効にしてもよい。
【００６４】
また、上記第１および第２実施形態では、ユーザの位置情報により視聴制限の対象になるユーザが宅内１３０（所定範囲）に入ったか否かを検出する例を示したが、本発明はこれに限られない。本発明では、たとえば、ユーザの位置情報以外の、たとえば、個人識別情報により視聴制限の対象になるユーザが所定範囲に入ったか否かを検出してもよい。たとえば、個人識別情報としてのユーザの顔の画像情報や声の音声情報により視聴制限の対象になるユーザが所定範囲に入ったか否かを検出してもよい。具体的には、放送受信機がユーザ宅のインターホンにより撮像されたユーザの顔の画像情報を取得可能に構成されるとともに、取得した顔の画像情報と放送受信機に予め登録された視聴制限の対象になるユーザの顔の画像情報と照合することにより、ユーザが所定範囲に入ったか否かを検出してもよい。また、放送受信機が、放送受信機に設けられたマイクによりユーザの声の音声情報を取得可能に構成されるとともに、取得した声の画像情報と放送受信機に予め登録された視聴制限の対象になるユーザの声の画像情報と照合することにより、ユーザが所定範囲に入ったか否かを検出してもよい。
【００６５】
また、上記第１および第２実施形態では、ＧＰＳ機能（ユーザの検出機能）により、ＢＤプレーヤ（放送受信機）がユーザの位置情報を検出する例を示したが、本発明はこれに限られない。本発明では、たとえば、携帯電話が放送受信機を遠隔操作するリモコンとして使用されたことにより、放送受信機がユーザの位置情報を検出するなど、ＧＰＳ機能以外のユーザの検出機能よりに本発明を適用してもよい。
【００６６】
また、上記第１および第２実施形態では、放送波に含まれるレーティングの情報により視聴制限が有効にされる例を示したが、本発明はこれに限られない。本発明では、たとえば、有料番組の放送波に含まれる有料番組である旨の情報により有料番組の視聴制限を有効にしたり、課金番組の放送波に含まれる課金番組である旨の情報により課金番組の視聴制限を有効にしてもよい。また、特定チャンネルの放送波に含まれる特定チャンネルである旨の情報により特定チャンネルの視聴制限を有効にしてもよい。
【００６７】
また、上記第１実施形態では、所定の時間帯ごとに、ユーザの個別視聴制限（視聴制限）が有効または無効に設定される例を示したが、本発明はこれに限られない。本発明では、たとえば、曜日ごと、平日または祝日ごと、夏休みなどの長期休暇ごとなどにユーザの個別視聴制限（視聴制限）が有効または無効に設定されてもよい。
【００６８】
また、上記第１および第２実施形態では、ＢＤプレーヤ（放送受信機）に内蔵されたＨＤＤ部に番組の録画する例を示したが、本発明はこれに限られない。本発明では、放送受信機の外部に設けられたＨＤＤ部に番組の録画をしてもよい。
【００６９】
また、上記第１および第２実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７０】
２１、５２１  検出部（制御部）
２２  受信部
２５  メモリ部（記憶部）
１００、５００  ＢＤプレーヤ（放送受信機）
１２０、５１０  視聴制限表（視聴制限情報）
１３０  宅内（所定範囲内）
【図１】
2014050049.tif 000003
【図２】
2014050049.tif 000004
【図３】
2014050049.tif 000005
【図４】
2014050049.tif 000006
【図５】
2014050049.tif 000007
【図６】
2014050049.tif 000008
【図７】
2014050049.tif 000009